(57)【要約】【課題】カバー体及び作業機連結ヒッチの取り外しが必要なメンテナンス作業を容易にする。【解決手段】機体前部に搭載されるエンジン４と、機体後部から後ろ上方に延出されるハンドル１６Ｌ、１６Ｒと、エンジン動力で回転駆動される車軸９と、車軸９に設けられる複数の耕耘爪１０と、耕耘爪１０の上方を覆うフェンダ１４と、耕耘爪１０の後方を覆う上下回動自在なカバー体２０と、任意の作業機が連結される作業機連結ヒッチ１２と、を備える歩行型管理機１において、作業機連結ヒッチ１２にカバー体２０を設け、該カバー体２０が設けられた作業機連結ヒッチ１２を機体後部に着脱自在に取り付ける。【選択図】図３
2008237095.tif 000002
【特許請求の範囲】
【請求項１】
機体前部に搭載されるエンジンと、
機体後部から後ろ上方に延出されるハンドルと、
エンジン動力で回転駆動される車軸と、
車軸に設けられる複数の耕耘爪と、
耕耘爪の上方を覆うフェンダと、
耕耘爪の後方を覆う上下回動自在なカバー体と、
任意の作業機が連結される作業機連結ヒッチと、
を備える歩行型管理機であって、
前記作業機連結ヒッチに前記カバー体を設け、該カバー体が設けられた作業機連結ヒッチを機体後部に着脱自在に取り付けたことを特徴とする歩行型管理機。
【発明の詳細な説明】
【技術分野】
【０００１】
本発明は、車軸に複数の耕耘軸を備える歩行型管理機に関する。
【背景技術】
【０００２】
従来から、機体前部に搭載されるエンジンと、機体後部から後ろ上方に延出されるハンドルと、エンジン動力で回転駆動される車軸と、車軸に設けられる複数の耕耘爪と、耕耘爪の上方を覆うフェンダとを備える歩行型管理機が知られている（例えば、特許文献１、２参照）。
特許文献１に示される歩行型管理機は、耕耘爪の後方を覆うカバー体（補助フェンダ）をさらに備えており、このようなカバー体によれば、耕耘爪が跳ね上げる泥や石から作業者の足元部を保護することが可能になる。
また、特許文献２に示される歩行型管理機は、機体後部に作業機連結ヒッチをさらに備えており、このような作業機連結ヒッチによれば、任意の作業機（抵抗棒、培土器など）を連結して様々な作業を行うことが可能になる。
【特許文献１】実開昭５８−１６３３７２号公報
【特許文献２】実開昭５９−１１７３０８号公報
【発明の開示】
【発明が解決しようとする課題】
【０００３】
近年、耕耘爪の後方を覆うカバー体と、任意の作業機を連結可能な作業機連結ヒッチとの両方を備える歩行型管理機も提案されてきている。しかしながら、歩行型管理機の機体後部にカバー体と作業機連結ヒッチとの両方を設けると、カバー体及び作業機連結ヒッチの取り外しが必要なメンテナンス作業において、カバー体と作業機連結ヒッチをそれぞれ別々に取り外さなければならないため、メンテナンス性の低下が懸念される。また、フェンダが樹脂製の歩行型管理機では、フェンダにカバー体を設けると、強度不足によりフェンダが破損する可能性があった。
【課題を解決するための手段】
【０００４】
本発明は、上記の如き実情に鑑みこれらの課題を解決することを目的として創作されたものであって、機体前部に搭載されるエンジンと、機体後部から後ろ上方に延出されるハンドルと、エンジン動力で回転駆動される車軸と、車軸に設けられる複数の耕耘爪と、耕耘爪の上方を覆うフェンダと、耕耘爪の後方を覆う上下回動自在なカバー体と、任意の作業機が連結される作業機連結ヒッチと、を備える歩行型管理機であって、前記作業機連結ヒッチに前記カバー体を設け、該カバー体が設けられた作業機連結ヒッチを機体後部に着脱自在に取り付けたことを特徴とする。このようにすると、カバー体と作業機連結ヒッチとを一体的に着脱することができるため、カバー体及び作業機連結ヒッチの取り外しが必要なメンテナンス作業を容易にすることができる。しかも、カバー体を強固な作業機連結ヒッチで支持するので、樹脂製のフェンダにカバー体を設けた場合のごとく、強度不足でフェンダが破損する不都合も回避できる。
【発明を実施するための最良の形態】
【０００５】
次に、本発明の実施形態について、図面に基づいて説明する。図１及び図２において、１は歩行型管理機であって、該歩行型管理機１は、機体フレーム２にミッションケース３を上下方向に傾斜させて配設すると共に、該ミッションケース３の上部に動力源であるエンジン４を搭載している。
【０００６】
ミッションケース３の上部及びエンジン４の左側面には、該エンジン４の動力をミッションケース３に伝達するベルト伝動機構（図示せず）と、これを覆うベルトカバー５が設けられている。また、エンジン４の上部には、ステー６を介して燃料タンク７を装着すると共に、この燃料タンク７の周囲を覆う樹脂製のエンジンカバー８を設けている。
【０００７】
ミッションケース３の下部には、エンジン４から出力される動力によって駆動する車軸９が左右に突出しており、この車軸９には、複数の耕耘爪１０が設けられると共に、当該車軸９の左右両端には、円盤状の車輪１１をそれぞれ取り付けてある。
【０００８】
また、ミッションケース３の後端部には、後方に向けて延出する作業機連結ヒッチ１２が一体的に連結されている。この作業機連結ヒッチ１２には、抵抗棒１３などの任意の作業機が連結される。また、エンジン４の下方には、回転する耕耘爪１０による泥や石の跳ね上がりを防止すべく、当該耕耘爪１０の上方を覆う略平板状のフェンダ１４を設けている。
【０００９】
一方、ミッションケース３の後部から後ろ上方に向けてハンドルフレーム１５を突設すると共に、このハンドルフレーム１５の先端部から機体後方に向けてハンドル１６Ｌ、１６Ｒを延設している。そして、左側のハンドル１６Ｌには、主クラッチレバー１７を設けると共に、右側のハンドル１６Ｒには、スロットルレバー１８を配設してある
【００１０】
左右のハンドル１６Ｌ、１６Ｒは、ノブ付ボルト１９を介してハンドルフレーム１５に上下位置調整自在に取り付けてあり、歩行型管理機１を運転する作業者の体格や作業内容によって、適宜上下調節が行えるようになっている。
【００１１】
ところで、耕耘爪１０の上方を覆う略平板状のフェンダ１４は、主として、回転する耕耘爪１０によって跳ね上げられる泥や石が、耕耘爪１０の上方にあるエンジン４にかかることを防止するために設けたものであって、歩行型管理機１を運転する作業者の足元を保護するためには、耕耘爪１０の後方を覆うカバー体２０を設ける必要がある。
【００１２】
しかしながら、歩行型管理機１の機体後部にカバー体２０と作業機連結ヒッチ１２との両方を設けると、カバー体２０及び作業機連結ヒッチ１２の取り外しが必要なメンテナンス作業において、カバー体２０と作業機連結ヒッチ１２をそれぞれ別々に取り外さなければならないため、メンテナンス性の低下が懸念される。また、フェンダ１４が樹脂製の歩行型管理機１では、フェンダ１４にカバー体２０を設けると、強度不足によりフェンダ１４が破損する可能性があった。
【００１３】
そこで、本発明に係る歩行型管理機１では、作業機連結ヒッチ１２にカバー体２０を設け、該カバー体２０が設けられた作業機連結ヒッチ１２を機体後部（ミッションケース３）に着脱自在に取り付けるようにした。このようにすると、カバー体２０と作業機連結ヒッチ１２とを一体的に着脱することができるため、カバー体２０及び作業機連結ヒッチ１２の取り外しが必要なメンテナンス作業を容易にすることができる。しかも、カバー体２０を強固な作業機連結ヒッチ１２で支持するので、樹脂製のフェンダ１４にカバー体２０を設けた場合のごとく、強度不足でフェンダ１４が破損する不都合も回避できる。以下、カバー体２０を備える作業機連結ヒッチ１２の具体的な構成について、図３を参照して説明する。
【００１４】
図３に示すように、作業機連結ヒッチ１２は、通常、ミッションケース３に対して着脱自在にボルト固定される後面視凵字形状の固定プレート２１と、固定プレート２１の上部に水平方向を向いて溶着されるフェンダ取付プレート２２と、固定プレート２１の後端部に上下方向を向いて溶着される作業機連結ボス２３とを備えて構成されており、作業機連結ボス２３に対して任意の作業機が挿入状に連結されるようになっている。
【００１５】
本実施形態に係る作業機連結ヒッチ１２では、固定プレート２１の後端側に左右方向を向くカバー体支軸２４を回動自在に貫通支持すると共に、固定プレート２１から左右方向に延出するカバー体支軸２４の左右両側にそれぞれカバー体２０を設けている。これにより、上下回動自在な左右一対のカバー体２０を備える作業機連結ヒッチ１２が構成され、ミッションケース３に対してカバー体２０及び作業機連結ヒッチ１２を一体的に着脱することが可能になる。
【００１６】
叙述の如く構成された本実施形態によれば、機体前部に搭載されるエンジン４と、機体後部から後ろ上方に延出されるハンドル１６Ｌ、１６Ｒと、エンジン動力で回転駆動される車軸９と、車軸９に設けられる複数の耕耘爪１０と、耕耘爪１０の上方を覆うフェンダ１４と、耕耘爪１０の後方を覆う上下回動自在なカバー体２０と、任意の作業機が連結される作業機連結ヒッチ１２と、を備える歩行型管理機１において、作業機連結ヒッチ１２にカバー体２０を設け、該カバー体２０が設けられた作業機連結ヒッチ１２を機体後部に着脱自在に取り付けたので、カバー体２０及び作業機連結ヒッチ１２の取り外しが必要なメンテナンス作業を容易にすることができる。しかも、カバー体２０を強固な作業機連結ヒッチ１２で支持するので、樹脂製のフェンダ１４にカバー体２０を設けた場合のごとく、強度不足でフェンダ１４が破損する不都合も回避できる。
【図面の簡単な説明】
【００１７】
【図１】歩行型管理機の後方斜視図である。
【図２】歩行型管理機の側面図である。
【図３】（Ａ）はカバー体が設けられた作業機連結ヒッチの平面図、（Ｂ）は後面図、（Ｃ）は側面図である。
【符号の説明】
【００１８】
１    歩行型管理機
３    ミッションケース
４    エンジン
９    車軸
１０  耕耘爪
１１  車輪
１２  作業機連結ヒッチ
１３  抵抗棒
１４  フェンダ
１６  ハンドル
２０  カバー体
２４  カバー体支軸
【図１】
2008237095.tif 000003
【図２】
2008237095.tif 000004
【図３】
2008237095.tif 000005